(57)【要約】  【課題】ファスナーテープの糸切れの発生を防止するスライドファスナー用スライダーを提供する。  【解決手段】下板の左右両側に立設された一対のフランジの肩口側端部から肩口方向に突出して、一対の突部を形成する。前記各突部は、前記各フランジの肩口側端部から肩口方向に延出して形成された段差部と、前記段差部から下板の上面にかけて形成された下りの傾斜面とから構成されている。一対の突部によって、ファスナーエレメントの脚部における傾きを略水平状態に戻すことができ、ファスナーテープとフランジとの当接を防止させることができ、ファスナーテープの糸切れの発生を防止できる。  【選択図】図２
2008036280.tif 000002
【特許請求の範囲】
【請求項１】
上板６と下板８とを連結柱３で連結し、上板６と下板８との間に線条エレメント１７を挿通可能とするエレメント通路２３が形成されたスライダー胴体４を有し、前記下板８の左右両側に沿ってスライダー胴体４の後口１０側から肩口１３側に向けて伸びる一対のフランジ９、９が立設され、前記各フランジ９、９の内側面に、エレメント通路２３内を通過する線条エレメント１７の反転部２０を押えながらガイドする押え面１２、１２が、前記各フランジ９、９の長手方向に沿って形成されたスライドファスナー用スライダーにおいて、
前記各フランジ９、９の肩口１３側端部から肩口１３方向に延出して突部１４、１４が形成され、
前記各突部１４、１４は、それぞれ各フランジ９、９の上面よりも低い高さの段差部１５、１５と、
前記各段差部１５、１５から下板８の上面にかけて形成された下り傾斜面１６、１６と、を有し、
前記各下り傾斜面１６、１６は、各フランジ９、９の内側面側から、肩口１３側における下板８の外側縁に向けて連続した形状に形成され、かつ、前記各押え面１２、１２に連続してなることを特徴とするスライドファスナー用スライダー。
【請求項２】
前記スライダーの前後方向において、前記各傾斜面１６、１６の肩口１３方向側に延出した下端縁が、前記連結柱３の後口１０側における端縁部１８の配設位置よりも肩口１３側に位置してなることを特徴とする請求項１に記載のスライドファスナー用スライダー。
【発明の詳細な説明】
【技術分野】
【０００１】
本発明は、線条エレメントの反転部を押えながらガイドする押え面を有するスライドファスナー用スライダーに関する。
【背景技術】
【０００２】
従来から衣服、カバン等においては、構成素材を開閉自在に結合するためにスライドファスナーが用いられている。スライドファスナーは、互いに噛合することによって結合する線条エレメントと、前記線条エレメントをそれぞれ長手方向に取りつけた１連のファスナーテープと、一対の前記ファスナーテープを上下方向で挟みこんで摺動するスライダーと、から構成されている。
【０００３】
スライダーとしては、上翼及び下翼が連結柱によって一体的に連結固定されたスライダー胴体と、引手と、から構成されている。上翼は、上板とその上部に立設された引手取付部とにより構成されており、前記引手取り付け部には、引手を取り付けるための空隙が形成されている。下翼は下板により構成されている。
【０００４】
スライダーの内部構成としては、下板の左右両側に沿って立設された一対のフランジの内側面に、線条エレメントの反転部を押えながらガイドする押え面が形成されたものがある。前記押え面は、前記各フランジの長手方向に沿った段差形状または斜面形状に形成されており、線条エレメントの反転部を載置するガイドとして構成されている。
【０００５】
尚、一般に線条エレメントは、各噛合頭部から平行な一対の脚部が連接されており、各脚部の端部はそれぞれ隣接する噛合頭部に連接している脚部の一方の端部と反転部を介して連接した構成となっている。この構成によって、線条エレメントは連続してコイル状に屈曲した形状に構成されている。本発明において反転部というのは、線条エレメントにおいて上述したように噛合頭部とは反対側で、隣接した脚部間を連接している部位を称している。
【０００６】
フランジの後口側では押え面が段差形状に形成され、前記段差形状のところからフランジの肩口５０側端部にかけては斜面形状に構成されたスライダー（特許文献１参照）が提案されている。
特許文献１に記載されたスライダーの下翼は、図７に示すように、下板４０の左右両側に沿って一対のフランジ４１、４１が立設されており、前記下板４０の上面中央には、連結柱４２から後口４３にかけて隆起した隆起部４４が形成されている。前記隆起部４４と前記フランジ４１、４１との間には、図示せぬ線条ファスナーエレメントのエレメント案内通路４５が凹設されている。
【０００７】
前記一対のフランジ４１、４１の内側面には、それぞれ長手方向に沿って押え面４６、４６が設けられている。押え面４６、４６は、後口４３側において、下板４０に向けて垂直状の直立壁面４７、４７が垂設された段差部として形成され、段差部から肩口５０方向にかけては下り傾斜の斜面４８、４８として形成されている。また、斜面４８、４８は、フランジ４１、４１の屈曲部４９から肩口５０側にかけての曲面形状に合わせて末広がり状に拡開している。
【０００８】
線条ファスナーエレメントの反転部を押えながらガイドする押え面が形成されたスライダーの他の構成としては、各フランジの肩口側端部より連続して中段面が肩口に向かって水平に突設され、中段面の上面の高さが押え面の高さ位置よりも低く形成されたスライダー（特許文献２参照）が提案されている。
【０００９】
特許文献２に記載されたスライダーの下翼は、図８に示すように、下板６０の左右両側に沿って一対のフランジ６１、６１が立設されており、前記下板６０の上面中央には、連結柱６２から後口６３にかけて隆起した隆起部６４が形成されている。
前記フランジ６１、６１の内側面には、それぞれの長手方向に沿って押え面６５、６５が設けられている。押え面６５、６５は、肩口６８側から後口６３にかけて上り傾斜となるように形成されている。
【００１０】
また、前記フランジ６１、６１の肩口６８側の端部より連続して形成された中段面６６、６６は、肩口に向かって水平状に突設され、前記押え面６５、６５の高さ位置よりも上面の高さ位置が低くなるように形成されている。前記中段面６６、６６の上面と前記隆起部６４の上面とは、前記下板６０の上面から略同じ高さとなるように構成されている。これにより、前記中段面６６と前記隆起部６４との間にエレメントを跨らせて、図示せぬエレメントの反転部と噛合頭部との間の脚部を略水平な状態で載置可能とすることができる。
前記隆起部６４と前記中段面６６、６６との間には、エレメント案内通路６７が凹設されている。
【特許文献１】特許第３６１８２８８号公報
【特許文献２】実公昭６３−５５３３号公報
【発明の開示】
【発明が解決しようとする課題】
【００１１】
カバン等に用いられている線条エレメントからなるスライドファスナーでは、スライダーを摺動してスライドファスナーを開閉するときには、引手を上部方向に引き上げながら、即ち、スライダーを上方向に持ち上げた状態で行われることが多い。このため、スライダーのフランジにおける肩口側の端縁部近傍では、ファスナーテープは下板側に接触するように大きく傾いた状態となり易い。フランジの肩口側における端縁部近傍でファスナーテープが下板側に接触するように大きく傾くと、エレメント間のファスナーテープとフランジの肩口側における端縁部とが強く当接してしまうことになる。
【００１２】
この強く当接した状態のままでスライダーを摺動し続けると、ファスナーテープの下面部とフランジの肩口側における端縁部との間で生じる摩擦によって、ファスナーテープに糸切れが生じてしまう問題があった。
【００１３】
特許文献１に示すような従来のスライダーでは、各フランジ４１の内側面側における屈曲部４９から肩口側の端縁部にかけて、フランジ４１の高さ方向における略中間位置の高さから下板４０にかけて末広がり状に拡開した下り傾斜の斜面４８が形成されている。
【００１４】
このような構成を有するスライダーでは、図示せぬ線条エレメントに対して横引力が加わって個々のエレメントが傾いたとしても、エレメントの反転部は、前記斜面４８上を滑動して押し上げられることになり、反転部は押し上げられた状態のまま押え面４６まで案内される。これにより、フランジ４１の肩口側における端縁部近傍でのファスナーテープの傾きは、強制的になだらかな傾きとなるように規制される。
【００１５】
このままの状態で、各フランジ４１の後口４３側における押え面４６に順次エレメントの反転部が移載されると、ファスナーテープは略水平状態に維持されることになるので、図示せぬファスナーテープは、図示せぬ上板と下板４０との間で各フランジ４１の上面及び上板に摺接することなくスライダーに対して相対的に移動することができる。これにより、ファスナーテープとフランジ４１の上面との摺接は防止される。
【００１６】
しかし、エレメントの反転部が押え面４６に載る手前である、フランジ４１の屈曲部４９から肩口側端縁部にかけた位置でエレメントに対して横引力が加わると、エレメントの反転部は斜面を転がってしまい、エレメント間のファスナーテープは水平状態とならずに傾いた状態となってしまう。特に、スライダーの前後方向において、肩口５０側におけるフランジ４１の端部から連結柱４２の後口４３側の端縁部までの間隔が広く形成されているため、フランジ４１の屈曲部４９から肩口側端縁部にかけた位置でエレメントに対して横引力が加わると、エレメントの脚部は簡単に傾き、ファスナーテープは水平状態とならずに傾いた状態となってしまう。
【００１７】
エレメントの脚部が傾くと、フランジ４１の屈曲部４９から肩口側端縁部にかけた領域におけるファスナーテープの高さ位置としては、各フランジ４１の上面よりも低い位置となってしまう。このためファスナーテープは、各フランジ４１の屈曲部４９を境にして、後口側では、各フランジ４１の上面よりも高くなるが、肩口５０側では、各フランジの上面よりも低くなってしまう。
【００１８】
このため、ファスナーテープは、各フランジ４１の屈曲部４９を境にして、肩口５０側にかけて斜め上を向いて傾いた状態となる。一方、ファスナーテープの下面部は、各フランジの肩口側における端縁部に対して斜め状態となり、ファスナーテープの下面部は各フランジの肩口側における端縁部に対して下から引き上げられるように当接することになる。この状態のままでスライダーを摺動させていくと、フランジの肩口側端縁部との摺接による摩擦によって、ファスナーテープに糸切れが生じてしまう。
【００１９】
また、特許文献２に示すようなスライダーでは、各フランジ６１の肩口側端部から連続した中段面６６が肩口６８に向かって水平に突設されている。
この中段面６６を構成することによって、各フランジ６１の肩口側における端縁部よりも肩口６８側においてエレメントに対して横引力が加わったとしても、下板６０の上面中央に形成した隆起部６４と中段面６６との間でエレメントの脚部を支持しておくことができる。これにより、エレメントの反転部と噛合頭部との間の脚部が水平状態とならずに傾斜してしまうのを防止でき、エレメント間のファスナーテープ部が傾斜するのを防止できる。
【００２０】
しかも、エレメント間のファスナーテープ部が傾斜するのを防止しながら、ファスナーテープとスライダーとの相対的移動を行わせることができる。これにより、ファスナーテープの高さ位置としては、図示せぬ上板とフランジ６１上面との間の位置となるように維持しておくことができ、ファスナーテープとフランジ６１の上面及び肩口側端縁部との当接が防止できる。
【００２１】
このように、隆起部６４と中段面６６との間で略水平状態に支持しているエレメントに対して横引力が加わった場合に、前記隆起部６４と中段面６６とによって、エレメントの脚部が傾斜しないように略水平状態に支えておくことはできる。しかしながら、隆起部６４と中段面６６との間における支持からエレメントの脚部が外れて傾いてしまった場合には、傾いたエレメントの脚部を略水平状態に復帰させることはできなかった。
【００２２】
このため、エレメントの反転部と噛合頭部との間の脚部が略水平状態とならずに傾いた状態のまま、ファスナーテープがスライダーの胴体内に入って来たときには、ファスナーテープの高さ位置としては、各フランジの上面よりも低い位置となった状態となる。
従って、各フランジの肩口側端縁部に対して、ファスナーテープの下面部が当接してしまうことになる。この状態のままでスライダーを摺動させると、肩口側端縁部とファスナーテープとの間に摺接による摩擦力が発生し、摩擦によってファスナーテープに糸切れが生じてしまう問題が生じる。
【００２３】
本願発明では、上述の問題点を解決し、引手を上部に引き上げてスライダーを上方向に持ち上げながら、スライドファスナーの開閉操作を行っても、ファスナーテープに対する糸切れの発生を防止できるスライドファスナー用スライダーを提供することにある。
【課題を解決するための手段】
【００２４】
本願発明の課題は請求項１及び２に記載された各発明により達成することができる。
即ち、本願発明では、上板６と下板８とを連結柱３で連結し、上板６と下板８との間に線条エレメント１７を挿通可能とするエレメント通路２３が形成されたスライダー胴体４を有し、前記下板８の左右両側に沿ってスライダー胴体４の後口１０側から肩口１３側に向けて伸びる一対のフランジ９、９が立設され、前記各フランジ９、９の内側面に、エレメント通路２３内を通過する線条エレメント１７の反転部２０を押えながらガイドする押え面１２、１２が、前記各フランジ９、９の長手方向に沿って形成されたスライドファスナー用スライダーにおいて、前記各フランジ９、９の肩口１３側端部から肩口１３方向に延出して突部１４、１４が形成され、前記各突部１４、１４は、それぞれ各フランジ９、９の上面よりも低い高さの段差部１５、１５と、前記各段差部１５、１５から下板８の上面にかけて形成された下り傾斜面１６、１６と、を有し、前記各下り傾斜面１６、１６は、各フランジ９、９の内側面側から、肩口１３側における下板８の外側縁に向けて連続した形状に形成され、かつ、前記各押え面１２、１２に連続してなることを最も主要な特徴となしている。
【００２５】
また、本願発明では、各傾斜面の肩口方向側に延出した下端縁位置と連結柱の後口側における端縁部の配設位置とを特定したことを主要な特徴となしている。
【発明の効果】
【００２６】
本願発明では、各フランジの肩口側における端部から肩口方向に延出して形成された段差部と、前記段差部から下板の上面にかけて形成された下り傾斜面とを有している。
この構成によって、エレメントに横引力が加わって、エレメントの反転部と噛合頭部との間の脚部が略水平状態とならずに傾いた状態のまま、ファスナーテープがスライダーの胴体内に入ってきたとしても、段差部から下板の上面にかけて形成された下り傾斜面上を誘導しながら、エレメントの反転部を押し上げることができ、反転部を押し上げながら、あるいは押し上げた状態のまま段差部まで案内することができる。このため、各フランジの肩口側の端縁部よりも肩口側において、エレメントの脚部は、強制的に略水平状態に戻されることになる。
【００２７】
これによって、少なくともエレメントの反転部が前記段差部上に押し上げられた時点において、ファスナーテープの高さ位置としては、上板と下板との間で、しかも各フランジの上面よりも高い位置に来ることができる。このため、各フランジの肩口側の端縁部とファスナーテープの下面部との当接が防止され、ファスナーテープの下面部と各フランジの肩口側端縁部との間で摺接による摩擦の発生が防止され、ファスナーテープに糸切れの発生を防止できる。
【００２８】
前記下り傾斜面としては、各フランジの内側面側から、肩口側における下板の外側縁に向けて連続した形状に形成されている。このため、肩口から進入してきたエレメントの反転部は、前記下り傾斜面の肩口側から内側面側に向かってスムーズに摺動案内され、段差部に押し上げられることになる。
【００２９】
下り傾斜面の肩口方向側に延出した下端縁は、スライダーの前後方向において、連結柱の後口側における端縁部の配設位置よりも肩口側に位置している。この構成により、肩口方向側に延出した下り傾斜面と連結柱との間をエレメント通路における左右方向の延長路として構成することができる。このため、フランジの肩口側の端縁部にかけた位置でエレメントに対して横引力が加わったとしても、エレメントの脚部は簡単に傾くことがなく、ファスナーテープを水平状態に維持しておくことができる。
【００３０】
これにより、エレメントの噛合頭部同士が噛合う前の噛合頭部が連結柱によって案内されている段階で、エレメントの反転部を確実に前記傾斜面上に沿って押し上げることができる。従って、肩口からファスナーテープがスライダーの胴体内に入ってきたときに、エレメントの反転部と噛合頭部との間の脚部が仮に略水平状態ではなく傾いた状態であったとしても、下り傾斜面によって脚部を略水平状態に戻すことができる。
【００３１】
このように、エレメント同士が噛合する前に脚部を略水平状態に維持しておくことができるので、左右のエレメントは確実に噛合することができる。従って、左右のエレメントが噛合わない、所謂チェーン割れ現象が発生するのを確実に防止できる。
【発明を実施するための最良の形態】
【００３２】
以下、本発明における好適な実施の形態について、以下の添付図面に基づいて具体的に説明する。なお、本発明は、以下で説明する実施形態に何ら限定されるものではなく、本発明と実質的に同一な構成を有し、かつ、同様な作用効果を奏する構成であれば、多様な変更が可能である。例えば、本発明において、スライドファスナー用スライダーの形状や配置構成等は、下記の実施形態の構成に限定されるものではなく、必要に応じて適宜変更することが可能である。
【実施例１】
【００３３】
図１は、本発明の実施例に係るスライドファスナー用スライダーを示す側面図である。図２は、本発明のスライドファスナー用スライダーの下翼を上面から見た全体斜視図、図３は、図１におけるIII−III断面図である。図４は、本発明のスライドファスナー用スライダーの部分側面図である。図５は、エレメントの姿勢変位前のスライドファスナー用スライダーの要部断面図、図６は、エレメントの姿勢変位後のスライドファスナー用スライダーの要部断面図である。
【００３４】
図１に示すように、スライドファスナー用スライダーは、上翼１と下翼２とが連結柱３によって一体的に連結固定されてスライダー胴体４を構成している。また、上翼１には引手５が設けられている。スライダー胴体４の内部には、線条エレメント１７を挿通可能とするエレメント通路２３が形成されている。
【００３５】
上翼１は、上板６とその上部に立設された引手取付部７とから構成され、前記引手取付部７には、引手５の一端部を挿入するための空隙が形成されており、引手５を回動可能に取り付けている。下翼２は、下板８により構成されている。上板６と下板８は、スライダー胴体４の上下方向に間隔を空けて平行に配置されており、この間隔がエレメント通路２３となる。
【００３６】
エレメント通路２３は、スライダー胴体４の前後方向に延設され、スライダー胴体４の前端側には、分離した状態の線条エレメント１７を挿通可能な肩口１３を有し、スライダー胴体４の後端側には、噛合した状態の線条エレメント１７を挿通可能な後口１０を有している。
【００３７】
図２に示すように、下板８の左右外側縁に沿って、スライダー胴体４の後口１０側から肩口１３側に向けて伸びる一対のフランジ９、９が立設されており、各フランジ９、９の内側面には、エレメント通路２３内を通過する線条エレメント１７の反転部２０を押えながらガイドする押え面１２、１２が、各フランジ９、９の長手方向に沿って形成されている。また、フランジ９の上面と上板６との間には、ファスナーテープ２１が挿通可能なテープ溝が設けられている。
【００３８】
各フランジ９、９の肩口１３側端部から肩口１３方向に延出して、突部１４、１４が形成されており、各突部１４、１４の上面には、各フランジ９、９の上面よりも低い高さの段差部１５、１５を有している。また、各段差部１５、１５の周縁から下板８の上面にかけて下り傾斜面１６、１６が形成されている。
【００３９】
各下り傾斜面１６、１６は段差部１５、１５の周縁に沿って、各フランジ９、９の内側面側から、肩口１３側における下板８の外側縁に向けて連続した形状に形成されている。また、各下り傾斜面１６、１６は、各押え面１２、１２に連続した面として形成されている。段差部１５と下り傾斜面１６とによって突部１４が構成されている。各下り傾斜面１６、１６は、下板８の外側縁まで形成することも、下板８の外側縁の手前まで形成しておくこともできる。
また、下板８の上面中央には、連結柱３から後口１０にかけて隆起した隆起部１１が形成されている。
【００４０】
押え面１２、１２は、各フランジ９、９の内側面からエレメント通路２３内へ向けて突出しており、各フランジ９、９の長さ方向における中間位置を境にして、後口１０側と肩口１３側とでは突出形状が異なっている。まず、押え面１２、１２の後口１０側では、下板８に向けて垂直状の直立壁面が垂設された段差として形成されている。この段差は、各フランジ９、９の上下方向の中間位置に配され、段差の上面が各フランジ９、９の内側面側から直立壁面の上端、即ち、エレメント通路２３の内側へ向けて下り傾斜の斜面として形成されている。
【００４１】
一方、押え面１２、１２の肩口１３側では、前記直立壁面が垂設された段差の代わりに、下板８に向けての下り傾斜の斜面が形成されている。上述した突部１４の段差部１５は、直立壁面の上端と略同一の高さ位置に配されており、直立壁面の上面に形成された押え面１２、１２の後口１０側における高さよりも低い高さ位置に配されている。
【００４２】
図３に示すように、各下り傾斜面１６、１６の肩口１３方向側における下端縁の位置は、下翼２の前後方向において、連結柱３の後口側における端縁部１８の配設位置よりも、肩口１３側に延設して構成することができる。これにより、肩口１３方向側に延出した下り傾斜面１６と連結柱３との間をエレメント通路２３における左右方向を規制する延長路として構成することができる。
【００４３】
従って、線条エレメント１７が肩口１３側から進入すると、噛合頭部１９は連結柱３によって案内されるとともに、反転部２０は下り傾斜面１６上に沿って押し上げられることになる。また、各下り傾斜面１６、１６が、各フランジ９、９の内側面側から、肩口１３側における下板８の外側縁に向けて連続した形状に形成されているので、ファスナーテープが肩口１３からスライド胴体内に入るのを確実にガイドすることができ、しかも、肩口１３における開口面積を広げて、ファスナーテープのスライド胴体内への侵入を容易にすることができる。
【００４４】
これにより、線条エレメント１７の脚部が傾いた状態のまま肩口１３側から進入したとしても、下り傾斜面１６によって脚部２５を傾いた状態から略水平状態に戻すことができる。このように、脚部２５が略水平状態とならずに傾いた状態のまま肩口１３側から侵入したとしても、ファスナーテープはスライダー胴体４内へスムーズに進入しながら、線条エレメント１７同士が互いに噛合する前に、反転部２０と噛合頭部１９の間の脚部２５を略水平状態に戻すことができるので、左右のエレメントを確実に噛合させることができる。従って、左右のエレメントが噛合わない、所謂チェーン割れ現象を防ぐことができる。
【００４５】
図４に示すように、スライダー胴体４の肩口１３から進入してきた線条エレメント１７は、後口１０まで移動するが、各下り傾斜面１６、１６はそれぞれ押え面１２、１２に対して連続した繋がりとなるように形成されているので、反転部２０は、下り傾斜面１６上に沿って持ち上げられながら、図示せぬ押え面１２まで安定して連続的に導かれることになる。その後、前記反転部２０は、前記押え面１２上に載置されて、後口１０までガイドされる。
【００４６】
線条エレメント１７が、下り傾斜面１６よりも肩口側に位置しているときにおいて、線条エレメント１７に対して横引力が加わった場合には、図５に示すように、線条エレメント１７は、引っ張られた方向に転がるように傾くことになる。即ち、反転部２０と噛合頭部１９との高さ位置関係は、反転部２０が下に、噛合頭部１９側が上になるようになり、脚部２５は傾いてしまうことになる。
【００４７】
この状態において、線条エレメント１７に取り付けられたファスナーテープ２１も脚部２５と同じ方向に傾くことになり、ファスナーテープ２１の下面部は、脚部２５が略水平状態にあるときのファスナーテープ２１の下面部よりも下位置となる。尚、図５においては、ファスナーテープ２１の下面部とフランジ９の上面を同じ高さとして記載してあるが、線条エレメント１７に加えられる横引力の強さによっては、反転部２０と噛合頭部１９の間での高さ位置関係の傾きが更に大きくなり、ファスナーテープ２１の下面部の高さ位置がフランジ９の上面よりも下に位置することもある。
【００４８】
しかしながら、本発明では、線条エレメント１７に対して横引力が加わった場合でも図４、図６に示すように、反転部２０が傾斜面１６上に沿って持ち上げられることになるので、反転部２０と噛合頭部１９との間の脚部２５における配置関係としては、略水平状態に戻すことができる。これにより、図６に示すように、ファスナーテープ２１の反転部２０と噛合頭部１９との間の部位における傾きも略水平状態となり、ファスナーテープ２１の下面部の高さ位置はフランジ９の上面よりも高くすることができる。
【００４９】
本願発明の構成によって、図４に示すように、フランジ９の肩口側端縁部とファスナーテープ２１の下面部との当接が防止され、ファスナーテープ２１の下面部とフランジ９の肩口側端縁部とが摺接するのを防止することができる。このように本願発明では、ファスナーテープ２１の下面部とフランジ９の肩口側端縁部とが摺接することにより発生する摩擦によって、ファスナーテープ２１に糸切れが発生するのが確実に防止できる。
【００５０】
また、図２に示すように、各フランジ９、９の肩口側端縁部に角部の面取りを行って形成した面取り部２２、２２を設けることができる。これにより、図４に示すように、ファスナーテープ２１の下面部と各フランジ９の肩口側端縁部との当接を更に防ぐことができるとともに、万一、角部に当接した場合においても、ファスナーテープ２１の下面部との当接面は、面取りされた平滑面状態となっているので、摩擦によるファスナーテープ２１の糸切れを防止することができる。
【産業上の利用可能性】
【００５１】
本願発明は、スライダーを上方向に持ち上げた状態でスライドファスナーの開閉が行われるスライドファスナーに対して有効に適用することができる。
【図面の簡単な説明】
【００５２】
【図１】本発明の実施例に係るスライドファスナー用スライダーを示す側面図である。（実施例１）
【図２】下翼を上面から見た全体斜視図である。（実施例１）
【図３】図１におけるIII−III断面図である。（実施例１）
【図４】スライドファスナー用スライダーの部分側面図である。（実施例１）
【図５】エレメントの姿勢変位前のスライドファスナー用スライダーの要部断面図である。（実施例１）
【図６】エレメントの姿勢変位後のスライドファスナー用スライダーの要部断面図である。（実施例１）
【図７】下翼の全体斜視図である。（従来例）
【図８】下翼の全体斜視図である。（従来例）
【符号の説明】
【００５３】
３・・・連結柱、４・・・スライダー胴体、６・・・上板、８・・・下板、９・・・フランジ、１２・・・押え面、１４・・・突部、１５・・・段差部、１６・・・下り傾斜面、１８・・・端縁部、１９・・・噛合頭部、２０・・・反転部、２２・・・面取り部、２５・・・脚部、４１・・・フランジ、４２・・・連結柱、４６・・・押え面、４７・・・直立壁面、４８・・・斜面、６１・・・フランジ、６２・・・連結柱、６５・・・押え面、６６・・・中段面。
【図１】
2008036280.tif 000003
【図２】
2008036280.tif 000004
【図３】
2008036280.tif 000005
【図４】
2008036280.tif 000006
【図５】
2008036280.tif 000007
【図６】
2008036280.tif 000008
【図７】
2008036280.tif 000009
【図８】
2008036280.tif 000010